(57)【特許請求の範囲】
【請求項１】
音声データを記録媒体にデータファイル単位で記録する音声記録再生装置であって、
録音モードが設定された際には、所定のデータファイルを作成すると共に、このデータファイルを開成した後、同データファイルに音声データの記録を行なうよう制御するデータファイル管理手段と、
再生モードによる再生動作を終了させた後、再度録音モードが設定された場合には、上記記録済みのデータファイルの最終位置に追加して新たな音声データの記録を行なうよう制御する音声データ記録制御手段と、
を具備し、
上記データファイル管理手段は、再生モードによる再生動作の終了後、再度録音モードが設定されるまでの間に所定の時間が経過している場合には、録音モードの設定時に新たな所定のデータファイルを作成すると共に、このデータファイルを開成し、同データファイルに音声データの記録を行なうよう制御することを特徴とする音声記録再生装置。
【発明の詳細な説明】
【０００１】
【発明の属する技術分野】
この発明は、音声記録再生装置、詳しくは音声データを記録媒体にデータファイル単位で記録し得ると共に、記録媒体に記録された音声データを再生し得るように構成された音声記録再生装置に関するものである。
【０００２】
【従来の技術】
近年、マイクロフォン等によって取得された音声を電気的な音声信号に変換し、この音声信号をデジタル信号の音声データに変換した後、同音声データを所定の記録媒体に記録したり、この記録媒体に記録された音声データを読み出してアナログ信号に変換した後、スピーカ等によって音声として再生出力し得るようにした、いわゆるデジタルレコーダ等の音声記録再生装置については、種々の提案がなされ、また実用化がなされている。
【０００３】
このような従来の音声記録再生装置においては、記録媒体としてフラッシュメモリ等の半導体メモリ等を使用するのが普通である。この記録媒体に対して音声データの記録を行なう場合には、一連の音声データをデータファイル単位で管理することが一般的に行なわれている。音声データをデータファイル単位で管理すると、データ管理が極めて容易なものとなり、記録媒体としての半導体メモリ等をより効率的に使用することができるという利点がある。
【０００４】
ここで、従来の音声記録再生装置における記録動作（又は録音動作ともいう）及び再生動作時における作用を簡単に説明すると次のようになる。即ち、使用者によって記録動作を開始するための録音ボタン等が操作されると、その信号を受けて、まず音声データを記録するためのデータファイルが新規に作成され、このデータファイルが開成された後、同データファイルに対して音声データの記録が行なわれる。
【０００５】
次いで、使用者によって停止ボタン等が操作されることによって、同データファイルが閉じられて記録動作が終了する。この場合において、一連の連続記録によって取得された音声データは、一つのデータファイルとして記録媒体に記録されることとなる。
【０００６】
このようにして記録された音声データは、再生ボタン等の操作によって記録媒体からファイル単位で読み出され、所定のデータ処理が施された後、音声として再生出力される。
【０００７】
そして上記従来の音声記録再生装置においては、所望のデータファイルを記録媒体から読み出して対応する音声データをその終端位置まで再生した後に、新たな記録動作を開始させると、既に記録済みのデータファイルであって、前回再生を終了したデータファイルの最終位置を基点として、この同一のデータファイルに対して継続して新たな音声データの記録が開始されるようになっている。
【０００８】
【発明が解決しようとする課題】
ところが、通常の場合において、音声記録再生装置を使用して記録動作を行なうにあたっては、次の新たな記録動作を実行するときに、記録済みのデータファイルとは異なる別のデータファイルとして新たな記録を行ないたいという要望がある。
【０００９】
そこで、従来の音声記録再生装置においては、前回再生したデータファイルとは別のデータファイルに対して新たな記録動作を行なわしめるために、例えば記録動作を開始させる操作に先立って、所定の操作ボタン等を操作して記録対象となるデータファイルの切換操作をその都度明示的に行なった後、所定の記録操作を行なうようにしている。
このように記録動作に先立って行なうべき設定操作等が多いと、装置自体の操作性が煩雑となってしまい、その使用感を損ねてしまうという問題点がある。
【００１０】
本発明は、上述した点に鑑みてなされたものであって、その目的とするところは、音声データの記録動作及び再生動作等をより簡単な操作によって実現し得ると共に、使用者が意図したファイル構成を自動的にかつ容易に構築し、データ管理を容易に行なうことができるようにした音声記録再生装置を提供することである。
【００１１】
【課題を解決するための手段】
上記目的を達成するために、本発明による音声記録再生装置は、音声データを記録媒体にデータファイル単位で記録する音声記録再生装置であって、録音モードが設定された際には、所定のデータファイルを作成すると共に、このデータファイルを開成した後、同データファイルに音声データの記録を行なうよう制御するデータファイル管理手段と、再生モードによる再生動作を終了させた後、再度録音モードが設定された場合には、上記記録済みのデータファイルの最終位置に追加して新たな音声データの記録を行なうよう制御する音声データ記録制御手段とを具備し、上記データファイル管理手段は、再生モードによる再生動作の終了後、再度録音モードが設定されるまでの間に所定の時間が経過している場合には、録音モードの設定時に新たな所定のデータファイルを作成すると共に、このデータファイルを開成し、同データファイルに音声データの記録を行なうよう制御することを特徴とする。
【００１３】
したがって、本発明による音声記録再生装置は、録音モードが設定された際には、データファイル管理手段が所定のデータファイルを作成すると共に、このデータファイルを開成した後、同データファイルに音声データの記録を行なうよう制御し、再生モードによる再生動作を終了させた後、再度録音モードが設定された場合には、音声データ記録制御手段が上記記録済みのデータファイルの最終位置に追加して新たな音声データの記録を行なうよう制御する。そして、上記データファイル管理手段は、再生モードによる再生動作の終了後、再度録音モードが設定されるまでの間に所定の時間が経過している場合には、録音モードの設定時に新たな所定のデータファイルを作成すると共に、このデータファイルを開成し、同データファイルに音声データの記録を行なうよう制御する。
【００１５】
【発明の実施の形態】
以下、図に基づいて本発明の実施の形態を説明する。
図１は、本発明の一実施形態の音声記録再生装置を示すブロック構成図である。
【００１６】
本実施形態の音声記録再生装置は、音声を集音して、これを電気信号に変換するマイクロフォン１を具備し、このマイクロフォン１からの音声出力信号は、これに接続されたマイクアンプ（ＡＭＰ）２によって増幅されるようになっている。このマイクアンプ２の出力は、ローパスフィルタ（ＬＰＦ）３を介してＡ／Ｄ変換器（Ａ／Ｄ）４に入力されるようになっており、マイクアンプ２で増幅された音声信号（アナログ信号）は、ローパスフィルタ３を介することでエリアシングノイズの発生を防止するために不要となる周波数帯域がカットされた後、Ａ／Ｄ変換器４に入力される。このＡ／Ｄ変換器４において音声信号（アナログ信号）は、デジタル信号に変換された後、デジタル信号処理部（ＤＳＰ）５に入力されるようになっている。
【００１７】
ＤＳＰ５には、このＤＳＰ５の動作を制御する制御回路（図示せず）が接続されていると共に、符号化された音声データを一時的に記憶するデータＩ／Ｏバッファ（図示せず）が接続されている。なお、上記制御回路は、後述するシステム制御部６に接続され、これにより制御されるようになっている。
【００１８】
またＤＳＰ５は、記録動作時には、システム制御部６に制御されてＡ／Ｄ変換器４によりデジタル信号に変換された音声信号を所定のフォーマットからなる音声データに圧縮変換（符号化）処理をし、この符号化された音声データを一時的にデータＩ／Ｏバッファに記録した後、システム制御部６に対して伝送するようにしている。
【００１９】
一方、ＤＳＰ５は、再生動作時には、システム制御部６に制御されて、このシステム制御部６からの音声データに対して伸長変換（復号化）処理を行ない、この復号化されたデジタル信号をＤ／Ａ変換器（Ｄ／Ａ）９に入力するようにしている。このＤ／Ａ変換器９において音声データは、アナログ信号に変換され、同音声信号は、不要な周波数帯域をカットし量子化雑音等を軽減するローパスフィルタ（図示せず）を介して、パワーアンプ（ＡＭＰ）１０に出力されるようになっている。なお、このパワーアンプ（ＡＭＰ）１０は、入力された音声信号を増幅して、スピーカ１１を駆動するためのものである。そして、パワーアンプ１０によって増幅された音声信号は、音声として発音するためのスピーカ１１により発音されるようになっている。
【００２０】
マイクロプロセッサ（ＣＰＵ）等からなるステム制御部６は、この音声記録再生装置の全体の動作を制御する制御手段としての役目を果たしている。また、録音モードが設定された場合において、所定のデータファイルを作成すると共に、このデータファイルを開成した後、同データファイルに音声データの記録を行なうよう制御するデータファイル管理手段の役目をしている。
【００２１】
そして、データファイル管理手段としてのシステム制御部６は、再生モードの実行が終了した後に再度録音モードが設定されるまでの間に所定の時間（例えば４秒間）が経過した場合には、録音モードが設定されたときに新たに所定のデータファイルを作成すると共に、このデータファイルを開成した後、同データファイルに音声データの記録を行なうよう制御している。
【００２２】
さらに、システム制御部６は、上記データファイルを閉じて録音モードを終了して再生モードを実行した後に再度録音モードが設定された際には、上記データファイルの最終位置から新たな音声データの記録を追加して行なうよう制御する音声データ記録制御手段の役目もしている。
【００２３】
システム制御部６には、取得した音声信号を記録する半導体メモリ等の記録媒体７と、アドレス制御回路（図示せず）等が電気的に接続されている。そして、操作入力部１９からの各操作信号に応じて、アドレス制御回路に対し適当なアドレス信号が与えられ、データＩ／Ｏバッファから供給される音声信号のほか、録音日時情報、インデックス情報等が所定のフォーマットに基づいて記録媒体７に記録され、またこの記録媒体７に記録されている各種の情報を読み出してデータＩ／Ｏバッファを介してＤＳＰ５に対して供給するように構成されている。
【００２４】
記録媒体７は、上述したように半導体メモリ等によって構成されており、その内部は、一時記録媒体部と主記録媒体部とによって構成されている。この記録媒体７のうち一時記録媒体部は、主記録媒体部と比較して比較的高速で読み書きを実行できるフラッシュメモリ等が主に用いられる。一方、主記録媒体部は、例えばフラッシュメモリの他、メモリカード媒体、光磁気ディスク媒体、磁気ディスク媒体や磁気テープ媒体等の一般的な記録媒体が用いられる。本実施形態の音声記録再生装置においては、一時記録媒体部及び主記録媒体の双方共、フラッシュメモリを用いて構成されているものとしている。
【００２５】
なお、音声情報の記録位置を示す情報であるアドレスは、本実施形態の音声記録再生装置に対して着脱自在な半導体メモリにより構成される、例えばメモリカード等の記録媒体に記憶するようにしても良いし、音声記録再生装置の内部に固設される上記アドレス制御回路に付随して配設される半導体メモリ（内部記憶部等；図示せず）に記憶するようにしても良い。
【００２６】
また、記録媒体７に記録される音声データは、連続的な記録動作によって取得された一連の音声データが一つのデータファイルとして記録されるように制御されており、記録媒体７に記録済みのデータファイルは、それぞれのファイル単位によって管理されるようになっている。そして、これらのデータファイルの管理は、データファイル管理手段としてのシステム制御部６によってなされている。
【００２７】
一方、上述したようにシステム制御部６には、操作入力部１９が接続されており、さらに駆動回路１２を介して、本装置の動作モード等を表示する液晶ディスプレイ等の表示手段である表示器１３等が電気的に接続されている。
【００２８】
上記操作入力部１９は、各種の操作手段である操作ボタン、即ち記録ボタン（ＲＥＣ）、再生ボタン（ＰＬＡＹ）、停止ボタン（ＳＴＯＰ）、早送りボタン（ＦＦ）、早戻しボタン（ＲＥＷ）等の操作手段である操作ボタン群等によって構成されている。
【００２９】
さらに、システム制御部６には、本装置全体に対して電力を供給する電源電池（図示せず）を制御するための電源制御部１４が電気的に接続されており、この電源制御部１４は、上記電源電池から供給される電力を各回路へと給電する制御を行なっている。
【００３０】
このように構成された本実施形態の音声記録再生装置における録音処理の動作を図２のフローチャートに基づいて、以下に説明する。
本装置の使用者が録音ボタン（ＲＥＣ）を操作することにより、同録音ボタンに連動するスイッチから録音動作を開始する旨の指示信号が発生すると、システム制御部６は、これを検出し録音モードに移行して、図２に示す録音処理のシーケンスが実行される。
【００３１】
まずステップＳ１において、システム制御部６は、追加録音フラグが１であるかどうかの確認を行なう。ここで、追加録音フラグが１でなければ、記録済みのデータファイルとは別のデータファイルに切り換えて記録を行なうべくステップＳ２の処理に進み、このステップＳ２において新規ファイルを作成して、ステップＳ４の処理に進む。
【００３２】
また、上述のステップＳ１において、追加録音フラグが１であることが確認された場合には、ステップＳ３の処理において、現在のファイルのまま、次のステップＳ４の処理に進む。つまり、この場合においては、現在のファイルの最終端位置を基点として、同一ファイルに対して追加して記録が行なわれることとなる。
【００３３】
なお、上述のステップＳ１における追加録音フラグの設定は、システム制御部６によって次のようになされる。即ち、本実施形態の音声記録再生装置においては、所望の録音動作を開始するために録音モードの設定を行なう以前の動作状態によって、追加録音フラグが自動的に設定されるようになっている。
【００３４】
まず、録音モードの設定がなされる以前において、再生モードが設定されており、その再生動作の終了後に再度録音モードが設定された場合を考えてみる。この場合において、再生動作の終了後、すぐに録音モードが設定される場合と、ある程度の時間が経過した後に、録音モードが設定される場合が考えられる。
【００３５】
この二つの場合を考慮して、本装置においては、再生動作の終了後、すぐに録音モードが設定された場合には、記録済みのデータファイル、即ち直前の再生動作によって再生がなされていたデータファイルの最終位置に追加して新たな音声データの記録（追加録音という）が行なわれるように、追加録音フラグはフラグ＝１に設定される。
【００３６】
一方、再生モードによる再生動作の終了後、再度録音モードが設定されるまでの間に所定の時間（例えば４秒間）が経過している場合には、録音モードの設定時に新たな所定のデータファイルを作成すると共に、このデータファイルを開成し、同データファイルに新たな音声データの記録が行なわれるように、追加録音フラグはフラグ＝０に設定される。
【００３７】
なお、追加録音を所望する場合には、録音動作を開始するに際して、予め操作入力部１９の所定の操作ボタンを操作することによって、明示的に追加録音フラグ＝１を手動設定し得るようにしても良い。
【００３８】
次にステップＳ４において、システム制御部６は、ＤＳＰ５に対して録音処理を実行させるための指令（録音コマンド）を送信し、ステップＳ５の処理において、ファイルの現在位置の情報を更新し、次のステップＳ６の処理に進む。このステップＳ６において、システム制御部６は、上述のステップＳ５で更新した位置情報に基づいて、表示器１３の表示を変更する。
【００３９】
次に、ステップＳ７において、システム制御部６は、操作部入力部１９の何れかの操作ボタン（スイッチ；ＳＷ）が操作されたか否かの検出を行なう。ここで、何れの操作ボタンも操作されなかったと判断された場合には、上述のステップＳ５の処理に戻り、記録媒体７の残り容量が零になるまで、即ち記録動作の実行が継続している間、同様の処理（ステップＳ５〜Ｓ７の処理）を繰り返す。
【００４０】
なお、記録動作が進行して記録媒体７の残り容量が零になると、記録媒体７は、その旨の信号を出力する。するとシステム制御部６は、この信号を検出し、上述のステップＳ７において、操作部入力部１９の何れかの操作ボタンが操作された場合と同様の処理を行なう。つまり、上述のステップＳ５〜Ｓ７のループ処理を抜けて、次のステップＳ８の処理に進む。
【００４１】
一方、上述のステップＳ７において、システム制御部６は、何れかの操作ボタンが操作されたことを検出すると、次のステップＳ８の処理に進み、このステップＳ８において、システム制御部６は、ＤＳＰ５に対して停止コマンドを送信する。その後、ステップＳ９において、システム制御部６は、現在位置情報を更新し、次いでステップＳ１０において、表示器１３の表示を変更する。この場合において、システム制御部６は、記録媒体７において開成されているデータファイルのヘッダー部に対して、録音終了日時や録音時間等の属性情報を記録した後、同データファイルを閉じる。そして、追加録音フラグがフラグ＝１であった場合には、この追加録音フラグをクリアした後、一連の録音処理のシーケンスを終了する（リターン）。
【００４２】
このように録音モードによる録音処理の終了時において、追加録音フラグは常にクリアされ、自動的にフラグ＝０となるように設定される。したがって、録音モードの設定がなされる以前の状態が録音モードであった場合には、再度録音モードに設定されたときに、常に新規のデータファイルが作成され、この新規ファイルに対して新たな音声データの記録動作が実行されることとなる。
【００４３】
次に、本実施形態の音声記録再生装置における再生処理の動作を図３のフローチャートによって、以下に説明する。
【００４４】
本装置の使用者が再生ボタン（ＰＬＡＹ）を操作することにより、同再生ボタンに連動するスイッチから再生動作を開始する旨の指示信号が発生すると、システム制御部６は、これを検出し再生モードに移行して、図３に示す再生処理のシーケンスが実行される。
【００４５】
まずステップＳ１１において、システム制御部６は、現在位置に対応するデータファイルを開成し、次いでステップＳ１２において、ＤＳＰ５に再生処理を実行させるための指令（再生コマンド）を送信する。そして、システム制御部６は、ステップＳ１３において、現在位置の更新を行なった後、次のステップＳ１４の処理において、表示器１３の表示を変更する。
【００４６】
次に、システム制御部６は、ステップＳ１５において、現在位置がデータファイルの最終端位置、即ちファイルエンドであるかどうかを確認する。ここで、現在位置がファイルの最終端位置にあることが確認されると、ステップＳ１７の処理において、追加録音フラグをセット（フラグ＝１に設定）し、ステップＳ１８の処理に進む。次いで、このステップＳ１８において、システム制御部６は、ＤＳＰ５に対して停止コマンドを送信し、次のステップＳ１９において、現在位置情報を更新し、これに基づいてステップＳ２０において、表示器１３の表示を変更した後、一連の再生処理のシーケンスを終了する（リターン）。
【００４７】
つまり、再生モードにセットされて再生動作が実行された場合には、その再生されるデータファイルの最終端までの再生が終了した時点で自動的に再生動作が停止する。そして、再生動作の終了時には、追加録音フラグが常にフラグ＝１に設定される。
【００４８】
なお、このとき、追加録音フラグがフラグ＝１に設定されるにあたっては、所定の時間（例えば４秒間）だけ待機するようになっており、この所定の時間の間に再度録音モードを設定するための操作がなされなかった場合には、追加録音フラグは、自動的にクリアされる（フラグ＝０に設定される）ようになっている。
【００４９】
これにより、再生動作の終了直後に録音モードが設定されたときには、直前に再生したデータファイルに対する追加録音がなされる一方、再生動作の終了後、所定の時間が経過してから録音モードが設定された場合には、新規のデータファイルが作成され、この新規ファイルに対して新たな音声データの記録動作が実行される。
【００５０】
一方、上述のステップＳ１５において、現在位置がファイルの最終端位置（ファイルエンド）ではないことが確認されると、次のステップＳ１６の処理に進み、このステップＳ１６において、システム制御部６は、操作入力部１９の何れかの操作ボタンが操作されたか否か、つまり何れかの操作ボタンに連動するスイッチからの各種の指令（コマンド）による出力信号の検出を行なう。ここで、何れの操作ボタンも操作されていないと判断した場合には、上述のステップＳ１３の処理に戻り、現在開成されているデータファイルの最終端位置になるまで、同様の処理（ステップＳ１３〜Ｓ１６の処理）を繰り返し、同ファイルの最終端位置まで再生動作が実行される。
【００５１】
なお、現在開成されているデータファイルの最終端位置になると、記録媒体７は、その旨の信号を出力する。するとシステム制御部６は、この信号を検出し、上述のステップＳ１６において、操作部入力部１９の何れかの操作ボタンが操作された場合と同様の処理を行なう。つまり、上述のステップＳ１３〜Ｓ１６のループ処理を抜けて、次のステップＳ１８の処理に進む。
【００５２】
また、上述のステップＳ１６において、システム制御部６により操作ボタンが押されたことが検出された場合には、上述のステップＳ１８の処理に進み、以降の処理が上述の場合（ステップＳ１７以降の処理を参照）と同様に実行される。
【００５３】
以上説明したように上記一実施形態の音声記録再生装置によれば、特別な操作ボタン等を配設することなく、使用者が意図したファイル構成によって音声データの記録及び再生動作を自動的に実行させることができる。また、特に構成部材を増加させることなもないので、製造コストの低減化に寄与すると共に、操作性の向上に寄与することが容易である。
【００５４】
【発明の効果】
以上述べたように本発明によれば、音声データの記録動作及び再生動作等をより簡単な操作によって実現し得ると共に、使用者が意図したファイル構成を自動的にかつ容易に構築し、データ管理を容易に行なうことができるようにした音声記録再生装置を提供することができる。
【図面の簡単な説明】
【図１】本発明の一実施形態の音声記録再生装置を示すブロック構成図。
【図２】図１の音声記録再生装置における録音処理の動作を示すフローチャート。
【図３】図１の音声記録再生装置における再生処理の動作を示すフローチャート。
【符号の説明】
１……マイクロフォン
２……マイクアンプ（ＡＭＰ）
３……ローパスフィルタ（ＬＰＦ）
４……Ａ／Ｄ変換器
５……デジタル信号処理部（ＤＳＰ）
６……システム制御部（ＣＰＵ；データファイル管理手段、音声データ記録制御手段）
７……記録媒体
９……Ｄ／Ａ変換器
１０…パワーアンプ（ＡＭＰ）
１１…スピーカ
１２…駆動回路
１３…表示器
１４…電源制御部
１９…操作入力部
【図１】
0004074013.tif 000002
【図２】
0004074013.tif 000003
【図３】
0004074013.tif 000004